(57)【特許請求の範囲】
【請求項１】
パレット本体の上部のチャンネルの溝に壁部材の下端部を嵌め込んでなるパレットであって、壁部材の下端部に嵌め込む略Ｕ字状のクリップ部材が設けられ、該クリップ部材の上端部に、内向きに狭めたときに壁部材の両面に食い込む爪が形成されると共に、その中間部に外向きに突出したエッジ部が形成される一方、上記チャンネルの上端部に、上記エッジ部が係合可能な内曲げ端部が形成されていることを特徴とするパレット。
【請求項２】
上記壁部材が底なし蓋付き段ボールである請求項１記載のパレット。
【請求項３】
上記パレット本体が金属製又は合成樹脂製である請求項１又は請求項２記載のパレット。
【発明の詳細な説明】
【０００１】
【発明の属する技術分野】
本発明は、物品の包装輸送を行うパレットに関する。
【０００２】
【従来の技術】
図９に示す従来のパレット８０は、物品を搭載した矩形の木製パレット本体８１に上方から底なし蓋付き段ボール箱８２を被せて、パレット本体８１上の方形木枠８１ａの外周を囲む段ボール箱８２の側壁８２ａの下端部を外側から釘（又はねじ）８３でパレット本体８１に固定して梱包を行う構造になっていた。
【０００３】
こうした構造のパレット８０は、梱包時における組み付けの作業が面倒で時間がかかるため、改善が求められていた。
【０００４】
図１０〜図１４は、こうした問題を解消した他の従来のパレット９０の構成例を示す。
【０００５】
このパレット９０は、図１１に示すコ字状断面をなし溝９２ａを有するチャンネル９２と、図１２に示す開き加減の略Ｕ字状断面をなし両端部に内向きに対峙する複数の爪９３ａが形成されているクリップ部材９３と、図１３に示す略Ｌ字状断面をなし両端部に内向きに折り曲げられたロック片９４ａ，９４ｂが設けられたロック部材９４とを用いて梱包を行う。
【０００６】
具体的には、図１０示すように、予めパレット本体９１の上面周囲に２つのチャンネル９２をねじ等で固定する一方、段ボール箱８２の側壁８２ａの下端部に適宜クリップ部材９３を嵌め込む。そして、図１４（ａ）に示すように、チャンネル９２の溝９２ａに段ボール箱８２の側壁８２ａを矢印Ｐ方向にクリップ部材９３と共に押し込むことによって、略Ｕ字状断面をなすクリップ部材９３が内向きに狭められ側壁８２ａの両面に複数の爪９３ａが食い込んだ状態で、側壁８２ａがチャンネル９２の溝９２ａの奥まで嵌まり込む。次に、図１４（ｂ）に示すように、クリップ部材９４の一方端の爪９３ａにロック部材９４の一方のロック片９４ａを引っ掛けた状態で、ロック部材９４の他方のロック片９４ｂをチャンネル９２の角部９２ｂに引っ掛けるようにして、ロック部材９４を矢印Ｑ方向にチャンネル９２の外側にパレット本体９１の天板９１ｂがない部分９１ｃより下から嵌め込んで、段ボール箱８２がパレット本体９１から外れないようにロックする。こうした作業を全てのクリップ部材９３に行うことにより、パレット本体９１に底なし蓋付き段ボール箱８２が固定されて、パレット９０の梱包が完了する。
【０００７】
【発明が解決しようとする課題】
しかしながら、上記従来のパレット９０では、パレット９０の梱包を行うのに、チャンネル９２、クリップ部材９３及びロック部材９４の３つの部品を使うためにコスト高になると共に組み付けの作業性がわるく作業時間が長くなるといった問題が生じていた。加えて、ロック部材９４をチャンネル９２の外側に下から嵌め込む構造をとっているので、ロック部材９４の使用位置がパレット本体９１の天板９１ｂがない部分９１ｃに制限されるため、ロック箇所が充分に取れずに段ボール箱８２がパレット本体９１から外れるといった問題がおそれがあった。
【０００８】
本発明は、こうした従来技術の課題を解決するものであり、パレットの梱包等を簡単な作業によって短時間で確実に行うことができる簡略な構成で低コストのパレットを提供することを目的とする。
【０００９】
【課題を解決するための手段】
本発明は、パレット本体の上部のチャンネルの溝に壁部材の下端部を嵌め込んでなるパレットであって、壁部材の下端部に嵌め込む略Ｕ字状のクリップ部材が設けられ、該クリップ部材の上端部に、内向きに狭めたときに壁部材の両面に食い込む爪が形成されると共に、その中間部に外向きに突出したエッジ部が形成される一方、上記チャンネルの上端部に、上記エッジ部が係合可能な内曲げ端部が形成されている。
【００１０】
上記構成によれば、クリップ部材を壁部材の下端部に嵌め込んだ状態で壁部材をクリップ部材と共にチャンネルの溝に差し込むと、壁部材の両面にクリップ部材の爪が食い込んだ状態でクリップ部材のエッジ部がチャンネルの内曲げ端部に係合して、壁部材がチャンネルに対し抜け止めされる。従って、パレットの梱包等を簡単な作業によって短時間で確実に行うことが可能となる。また、チャンネルとクリップ部材を用いるだけの簡略な構成であるため、経費を節減することが可能となる。
【００１１】
上記パレットにおいて、上記壁部材が底なし蓋付き段ボールである構成にすると、収容物に埃や水がかからないようにパレットを梱包することが可能となる。
【００１２】
上記パレットにおいて、上記パレット本体が金属製又は合成樹脂製である構成にすると、パレット本体が木製であるときに必要となる燻蒸処理を行う必要がなくなり、その処理を行うための時間と費用を削減することが可能となる。
【００１３】
【発明の実施の形態】
以下に、本発明の実施の形態を図面に基づいて具体的に説明する。
【００１４】
図１〜図６は、本発明に係るパレット１の構成例を示す。
【００１５】
このパレット１は、図１に示すように、矩形のパレット本体２の上面周囲に固定された８つのチャンネル３の溝に、底なし蓋付き段ボール箱５の側壁５ａの下端部をクリップ部材４と共に嵌め込んで、パレット本体２に段ボール箱５を固定して梱包する構造になっている。ここでは、１つのチャンネル３に対し２つのクリップ部材４を用いている。また、パレット本体２の下面には並行する３本の脚２ａが設けられている。
【００１６】
クリップ部材４は、図２に示すように、略Ｕ字状断面をなし段ボール箱５の側壁５ａの下端部に嵌め込めるようになっている。このクリップ部材４の上端部には２対の爪４ａが対峙するように形成され、内向きに狭めたときに段ボール箱５の側壁５ａの両面に爪４ａが食い込むようになっている。また、このクリップ部材４の中間部には外向きに突出したエッジ部４ｂが形成されている。このクリップ部材４としては、鉄等の金属をプレス加工したもの、アルミニウムやアルミニウム合金等の押出形材を加工したもの、合成樹脂製のもの等を用いることができる。尚、押出形材を用いると、所定長に切断して簡単な加工を施すだけで多数のクリップ部材４を簡単かつ低コストで製造することができる。
【００１７】
チャンネル３は、図３に示すように、略コ字状断面をなし、その上端部にクリップ部材４のエッジ部４ｂが係合可能な内曲げ端部３ｂが形成されている。このチャンネル３としては、冷間圧延鋼材、アルミニウムやアルミニウム合金等の押出形材、合成樹脂製のもの等を用いることができる。尚、冷間圧延鋼材や押出形材を用いると、所定長に切断するだけで多数のチャンネル３を簡単かつ低コストで製造することができる。
【００１８】
このパレット１における梱包を行うにあたって、まず、図１に示すように、予めパレット本体２の上面周囲に８つのチャンネル３をねじ、釘、溶接等により固定する。次に、図４に示すように、クリップ部材４を段ボール箱５の側壁５ａの下端部に適宜嵌め込む。次に、図５に示すように、側壁５ａをクリップ部材４と共にチャンネル３の溝３ａに差し込み、チャンネル３の両側壁３ｃを外向きに押し広げながら側壁５ａを押し込んでいくと、側壁５ａの両面にクリップ部材４の爪４ａが食い込むようになる。そして、図６に示すように、側壁５ａをチャンネル３の溝３ａの奥まで押し込むと、チャンネル３の両側壁３ｃが内向きに復元し、クリップ部材４のエッジ部４ｂがチャンネル３の内曲げ端部３ｂに係合して、側壁５ａがチャンネル３に対し抜け止めされる。こうした作業を全ての固定箇所で行うことにより、パレット本体２に底なし蓋付き段ボール箱５が固定され梱包が完了する。
【００１９】
このように、このパレット１では、梱包等を簡単な作業によって短時間で確実に行うことを可能としている。また、このパレット１では、梱包するのにチャンネル３とクリップ部材４を用いるだけの簡略な構成にして、経費の節減を図っている。
【００２０】
加えて、このパレット１では、クリップ部材４の使用箇所が制限されない構造をとり、クリップ部材４を側壁５ａの固定に必要な箇所に充分な数を設けることによって、パレット本体２への側壁５ａの固定を確実で強固なものとしている。
【００２１】
このパレット１では、パレット本体２を底なし蓋付き段ボール５で梱包して、収容物に埃や水がかからないようにしている。
【００２２】
また、このパレット１では、パレット本体２を金属製又は合成樹脂製にして、パレット本体２が木製であるときに必要となる燻蒸処理をなくし、その処理を行うための時間と費用を削減している。
【００２３】
尚、本発明に係るパレットは、上記した実施形態の具体的構成に限定されるものではなく、必要に応じ適宜構成を変形、追加、置換又は削除した構成としてもよいことは言うまでもない。
【００２４】
例えば、本発明に係るパレットに用いるクリップ部材は、図２に示すクリップ部材４の形状に限定されるものではなく、クリップ部材の上端部に爪が形成され中間部に外向きに突出したエッジ部が形成されているものであれば、他の形状であってもよい。
【００２５】
具体的には、図７に示すクリップ部材４Ｂのように、対峙する一対の爪４ｃと図２と同じ形状の角曲げによるエッジ部４ｂを有する形状にすることができる。また、図８に示すクリップ部材４Ｃのように、図７と同じ形状の爪４ｃと丸曲げによるエッジ部４ｂを有する形状にすることもできる。更には、爪の数を３対以上設けるようにしてもよいし、対峙する爪を千鳥状に配列してもよい。
【００２６】
また、上記では、底なし蓋付き段ボール５でパレット本体２を梱包する例を示したが、本発明にこれに限定されるものではなく、本発明に係るパレットは、チャンネルの溝に壁部材を嵌め込む形態が全て含まれる。また、この壁部材は、多層の段ボールに限られるわけではなく、プラスチック、木等の他の材料であってもよい。
【００２７】
また、上記では、図１に示すように、パレット本体２の上面周囲に８つのチャンネル３を固定し、１つのチャンネル３に対し２つのクリップ部材４を用いて、パレット本体２に段ボール箱を固定する例を示したが、本発明にこれに限定されるものではなく、使用するチャンネル３やクリップ部材４の数は適宜変更することができる。
【００２８】
【発明の効果】
以上説明したように、本発明に係るパレットによれば、クリップ部材を壁部材の下端部に嵌め込んだ状態で壁部材をクリップ部材と共にチャンネルの溝に差し込むと、壁部材の両面にクリップ部材の爪が食い込んだ状態でクリップ部材のエッジ部がチャンネルの内曲げ端部に係合して、壁部材がチャンネルに対し抜け止めされるため、パレット本体への壁部材の固定を簡単な作業によって短時間で確実に行うことができ、梱包等を行うときの作業性の向上と作業時間の短縮を図ることができる。
【００２９】
また、このパレットは、クリップ部材の使用箇所が制限されない構造であるため、クリップ部材を壁部材の固定に必要な箇所に充分な数を設けることによって、パレット本体への壁部材の固定を確実で強固なものとすることができる。
【００３０】
また、このパレットは、パレット本体への壁部材の固定をチャンネルとクリップ部材を用いるだけの簡略な構成としたため、経費を節減することができる。
【００３１】
上記壁部材が底なし蓋付き段ボールである構成にすると、収容物に埃や水がかからないようにパレットを梱包することができる。
【００３２】
上記パレット本体が金属製又は合成樹脂製である構成にすると、パレット本体が木製であるときに必要となる燻蒸処理を行う必要がなくなるので、その処理を行うための時間と費用を削減することができる。
【図面の簡単な説明】
【図１】本発明に係るパレットの構成例を示す上視図である。
【図２】本発明に係るパレットに用いるクランプ部材の構成例を示す斜視図である。
【図３】本発明に係るパレットに用いるチャンネルの構成例を示す斜視図である。
【図４】本発明に係るパレットにおいて、段ボール箱の側壁の下端部にクリップ部材を嵌め込んだ状態を示す斜視図である。
【図５】本発明に係るパレットにおいて、チャンネルの溝に段ボール箱の側壁の下端部をクリップ部材と共に押し込んでいる途中の状態を示す断面図である。
【図６】本発明に係るパレットにおいて、チャンネルの溝の奥まで段ボール箱の側壁の下端部をクリップ部材と共に押し込んでロックされた状態を示す断面図である。
【図７】本発明に係るパレットに用いるクランプ部材の他の構成例を示す斜視図である。
【図８】本発明に係るパレットに用いるクランプ部材の他の構成例を示す斜視図である。
【図９】従来のパレットの構成例を示す斜視図である。
【図１０】従来のパレットの他の構成例を示す斜視図である。
【図１１】従来のパレットに用いるチャンネルの構成例を示す斜視図である。
【図１２】従来のパレットに用いるクランプ部材の構成例を示す斜視図である。
【図１３】従来のパレットに用いるロック部材の構成例を示す斜視図である。
【図１４】従来のパレットにおいて、パレット本体に段ボール箱の側壁を固定する作業工程を説明する断面図であって、（ａ）は、チャンネルの溝に段ボール箱の側壁の下端部をクリップ部材と共に押し込んでいる途中の状態を、（ｂ）は、チャンネルの溝の奥まで側壁の下端部をクリップ部材と共に押し込んだ後にロック部材でロックするときの様子をそれぞれ表す。
【符号の説明】
１  パレット
２  パレット本体
３  チャンネル
３ａ  溝
３ｂ  内曲げ端部
４，４Ｂ，４Ｃ  クリップ部材
４ａ，４ｃ  爪
４ｂ，４ｄ  エッジ部
５  底なし蓋付き段ボール（壁部材）
５ａ  側壁（壁部材）
【図１】
0004002421.tif 000002
【図２】
0004002421.tif 000003
【図３】
0004002421.tif 000004
【図４】
0004002421.tif 000005
【図５】
0004002421.tif 000006
【図６】
0004002421.tif 000007
【図７】
0004002421.tif 000008
【図８】
0004002421.tif 000009
【図９】
0004002421.tif 000010
【図１０】
0004002421.tif 000011
【図１１】
0004002421.tif 000012
【図１２】
0004002421.tif 000013
【図１３】
0004002421.tif 000014
【図１４】
0004002421.tif 000015